(57)【要約】【課題】ゴミ集積場カバー装置において、開閉が容易にできて、ネットの管理の手間も必要なく、鳥獣が侵入する隙間が生じず、景観的にも優れること。【解決手段】ゴミ集積場カバー装置１は、三方の鉄筋コンクリート壁２に１対のスイングアーム５と巻取りシャフトカバー６が取付けられ、巻取りシャフトカバー６の内部の巻取りシャフトに約３ｃｍ間隔で端から端まで固定された多数の線材７が約３ｃｍ間隔で設けられた線材ガイド溝８を貫通して引き出され、他方の端が車庫用上げ下げ扉４の上端に両端まで略平行に取付けられている。車庫用上げ下げ扉４の外周はアルミニウム製の外枠で囲われ、パンチングメタル４ａが全面に張られ、通常時は車庫用上げ下げ扉４の重量によって閉じられた状態にあり、多数の線材７が引き出されてゴミ集積場３の上面に多数の線材７が張架された状態にあるため、カラスや猫等の鳥獣が侵入する隙間がない。【選択図】        図１
2005000094.tif 000002
【特許請求の範囲】
【請求項１】
三方を壁で囲まれたゴミ集積場に鳥獣が侵入するのを防止するカバー装置であって、
前記壁のうち両側面の壁、または前記両側面の壁に近接して前記ゴミ集積場の床面に立設された１対の支持柱に、１対のスイングアームの後端部を回動可能に取付けられた車庫用上げ下げ扉と、
前記壁のうち正面の壁の上方に端から端までに亘って、または前記両側面の壁の上方に、または前記ゴミ集積場の床面に立設された支持柱に取付けられた巻取りシャフトカバーと、
該巻取りシャフトカバーの中に収容され、巻取り回転可能に支持された巻取りシャフトと、
一方の端を一定間隔ごとに前記巻取りシャフトに固定され、前記巻取りシャフトカバーに前記一定間隔ごとに設けられた線材ガイド溝を貫通して、他方の端を前記車庫用上げ下げ扉の上端に両端まで略平行に取付けられた多数の線材と、
前記車庫用上げ下げ扉の下端前面の中央付近に取付けられた取っ手とを具備し、
通常時は前記車庫用上げ下げ扉の重量によって前記巻取りシャフトに内蔵されたバネによる巻取り力に抗して前記車庫用上げ下げ扉が閉じられた状態にあり、前記多数の線材が引き出されて前記巻取りシャフトカバーから前記車庫用上げ下げ扉の上端まで、前記ゴミ集積場の上面に前記多数の線材が張架され、
前記取っ手を持って前記車庫用上げ下げ扉を持上げることによって、前記巻取りシャフトの巻取り力によって前記多数の線材が前記車庫用上げ下げ扉が上方に開放されるまで巻き取られることを特徴とするゴミ集積場カバー装置。
【請求項２】
前記巻取りシャフトに前記線材を分けて巻き取るための巻取り溝を前記一定間隔ごとに前記線材の本数だけ設けたことを特徴とする請求項１に記載のゴミ集積場カバー装置。
【請求項３】
三方を壁で囲まれたゴミ集積場に鳥獣が侵入するのを防止するカバー装置であって、
前記壁のうち両側面の壁、または前記両側面の壁に近接して前記ゴミ集積場の床面に立設された１対の支持柱に、１対のスイングアームの後端部を回動可能に取付けられた車庫用上げ下げ扉と、
前記壁のうち正面の壁の上方に端から端までに亘って、または前記両側面の壁の上方に、または前記ゴミ集積場の床面に立設された支持柱に取付けられたウエイトボックスと、
該ウエイトボックスの中に収容され、前記ウエイトボックスの上方に回転自在に支持された線材シャフトと、前記ウエイトボックスの下方に両端を上下動可能に振れ止めによって支持された前記ウエイトボックスのほぼ全幅に亘る幅を有する棒状ウエイトと、
一方の端を一定間隔ごとに弾性部材を介して前記棒状ウエイトに固定され、前記線材シャフトを介して前記ウエイトボックスに前記一定間隔ごとに設けられた線材ガイド溝を貫通して、他方の端を前記車庫用上げ下げ扉の上端に両端まで略平行に取付けられた多数の線材と、
前記車庫用上げ下げ扉の下端手前の中央付近に取付けられた取っ手とを具備し、
通常時は前記車庫用上げ下げ扉の重量によって前記棒状ウエイトの重量による引張り力に抗して前記車庫用上げ下げ扉が閉じられた状態にあり、前記多数の線材が引き出されて前記ウエイトボックスから前記車庫用上げ下げ扉の上端まで前記ゴミ集積場の上面に前記多数の線材が張架され、
前記取っ手を持って前記車庫用上げ下げ扉を持上げることによって、前記棒状ウエイトの重量による引張り力によって前記多数の線材が前記車庫用上げ下げ扉が上方に開放されるまで前記ウエイトボックス内に引き込まれることを特徴とするゴミ集積場カバー装置。
【請求項４】
前記線材シャフトに前記線材を分けて引き込むための線材溝を前記一定間隔ごとに前記線材の本数だけ設けたことを特徴とする請求項３に記載のゴミ集積場カバー装置。
【請求項５】
三方を金網で囲まれたゴミ集積場に鳥獣が侵入するのを防止するカバー装置であって、
前記車庫用上げ下げ扉が前記金網のうち両側面の金網に近接して下端部分を地面に深く埋め込まれて立設された１対の支持柱に、前記スイングアームの後端部が回動可能に取付けられ、
前記巻取りシャフトカバーまたは前記ウエイトボックスが前記１対の支持柱の上方に取付け部材を介して前記金網のうち正面の金網に近接して端から端までに亘って取付けられたことを特徴とする請求項１乃至請求項４のいずれか１つに記載のゴミ集積場カバー装置。
【請求項６】
丈夫な壁の前に設けられた一定の区画の平坦な地面からなるゴミ集積場に鳥獣が侵入するのを防止するカバー装置であって、
前記区画のうち両側端に沿って鳥獣が侵入する隙間が生じることがない柵を設置し、
前記車庫用上げ下げ扉が前記両側端の柵にそれぞれ近接して下端部分を前記地面に深く埋め込まれて立設された１対の支持柱に、前記スイングアームの後端部を回動可能に取付けられ、
前記巻取りシャフトカバーまたは前記ウエイトボックスが前記丈夫な壁に端から端までに亘って取付けられたことを特徴とする請求項１乃至請求項４のいずれか１つに記載のゴミ集積場カバー装置。
【請求項７】
一定の区画の平坦な地面からなるゴミ集積場に鳥獣が侵入するのを防止するカバー装置であって、
前記区画のうち両側端及び後端の三方に沿って鳥獣が侵入する隙間が生じることがない柵を設置し、
前記車庫用上げ下げ扉が前記区画のうち両側端に近接して下端部分を前記地面に深く埋め込まれて立設された１対の支持柱に、前記スイングアームの後端部を回動可能に取付けられ、
前記巻取りシャフトカバーまたは前記ウエイトボックスが前記１対の支持柱の上方に取付け部材を介して前記柵のうち後端の柵に近接して端から端までに亘って取付けられたことを特徴とする請求項１乃至請求項４のいずれか１つに記載のゴミ集積場カバー装置。
【請求項８】
前記線材は黒色の耐候性材料で被覆されていることを特徴とする請求項１乃至請求項７のいずれか１つに記載のゴミ集積場カバー装置。
【請求項９】
前記線材としては黒色のナイロン樹脂で被覆したステンレス鋼線を用い、前記巻取りシャフトカバーまたは前記ウエイトボックスはアルミニウムまたはその合金からなり、前記車庫用上げ下げ扉の扉部分もアルミニウムまたはその合金からなり、前記線材の間隔は約２ｃｍ〜約５ｃｍの範囲内としたことを特徴とする請求項１乃至請求項８のいずれか１つに記載のゴミ集積場カバー装置。
【請求項１０】
前記多数の線材の代わりに、一方の端を前記巻取りシャフトまたは前記棒状ウエイトに固定され、前記巻取りシャフトカバーに設けられた開口部を貫通して、または前記線材シャフトを介して前記ウエイトボックスに設けられた開口部を貫通して、他方の端を前記車庫用上げ下げ扉の上端に両端まで取付けられた耐候性を有するネットを具備し、
通常時は前記車庫用上げ下げ扉の重量によって前記巻取りシャフトの巻取り力または前記棒状ウエイトの重量による引張り力に抗して前記車庫用上げ下げ扉が閉じられた状態にあり、前記ネットが引き出されて前記巻取りシャフトカバーまたは前記ウエイトボックスから前記車庫用上げ下げ扉の上端まで前記ゴミ集積場の上面に前記ネットが張架され、
前記取っ手を持って前記車庫用上げ下げ扉を持上げることによって、前記巻取りシャフトの巻取り力または前記棒状ウエイトの重量による引張り力によって前記ネットが前記車庫用上げ下げ扉が上方に開放されるまで前記巻取りシャフトカバーまたは前記ウエイトボックス内に引き込まれることを特徴とする請求項１，請求項３，請求項５乃至請求項７のいずれか１つに記載のゴミ集積場カバー装置。
【請求項１１】
前記ゴミ集積場の上面に太陽電池パネルを取付け、前記ゴミ集積場内に蓄電装置を設けて前記太陽電池パネルから得られた電力を蓄電し、前記車庫用上げ下げ扉の前記支持柱内に電動モータを取付けて、前記ゴミ集積場の外面に設けたスイッチを切り換えることによって前記蓄電装置の電力を用いて前記電動モータが回転して前記車庫用上げ下げ扉が自動的に開閉し、電力不足の場合は手動に切り換えることができることを特徴とする請求項１乃至請求項１０のいずれか１つに記載のゴミ集積場カバー装置。
【発明の詳細な説明】
【０００１】
【発明の属する技術分野】
本発明は、住宅街やアパート・マンション等の集合住宅の一角に設けられるゴミ集積場カバー装置に関するもので、特に開閉が容易にできるゴミ集積場カバー装置に関するものである。
【０００２】
【従来の技術】
１戸建ての家屋が並んだ住宅街や、アパート・マンション等の集合住宅の一角には、地区によって決められたゴミ収集日にゴミ袋を出すためのゴミ集積場が設けられている。かかるゴミ集積場としては、三方を鉄筋コンクリート壁で囲まれ、地面にもコンクリートが敷設されたスペースや、鋼鉄製のパイプと金網で三方を囲まれ、地面には鋼板が敷かれたもの等があるが、いずれも住人がゴミ袋を出してからゴミ収集車が回収に来るまでの間に、カラスやハト、猫、犬等の鳥獣がゴミ袋の中の生ゴミを狙ってゴミ袋を破ってゴミを散らかす恐れがある。そこで、従来から、これらの鳥獣がゴミ袋に触れられないように、合成繊維等からなるネットをゴミ集積場に掛けるようにしている。
【０００３】
【発明が解決しようとする課題】
しかしながら、従来の方式では、ゴミ袋を出しに来た人がネットを上げてゴミ集積場にゴミ袋を置いた後でネットを再びしっかり掛けておかないと、ネットと地面や鉄筋コンクリート壁との間に隙間ができて、この隙間からカラスや猫等の鳥獣がゴミ集積場に侵入してしまう。また、ゴミ収集車による回収が完了したらネットを畳んで片付けなければならず、ネットの管理が面倒であるという問題点があった。
【０００４】
そこで、本発明は、開閉が容易にできて、ネットの管理の手間も必要なく、鳥獣が侵入する隙間が生じることがなく、景観的にも優れているゴミ集積場カバー装置を提供することを課題とするものである。
【０００５】
【課題を解決するための手段】
請求項１の発明にかかるゴミ集積場カバー装置は、三方を壁で囲まれたゴミ集積場に鳥獣が侵入するのを防止するカバー装置であって、前記壁のうち両側面の壁、または前記両側面の壁に近接して前記ゴミ集積場の床面に立設された１対の支持柱に、１対のスイングアームの後端部を回動可能に取付けられた車庫用上げ下げ扉と、前記壁のうち正面の壁の上方に端から端までに亘って、または前記両側面の壁の上方に、または前記ゴミ集積場の床面に立設された支持柱に取付けられた巻取りシャフトカバーと、該巻取りシャフトカバーの中に収容され、巻取り回転可能に支持された巻取りシャフトと、一方の端を一定間隔ごとに前記巻取りシャフトに固定され、前記巻取りシャフトカバーに前記一定間隔ごとに設けられた線材ガイド溝を貫通して、他方の端を前記車庫用上げ下げ扉の上端に両端まで略平行に取付けられた多数の線材と、前記車庫用上げ下げ扉の下端前面の中央付近に取付けられた取っ手とを具備し、通常時は前記車庫用上げ下げ扉の重量によって前記巻取りシャフトに内蔵されたバネによる巻取り力に抗して前記車庫用上げ下げ扉が閉じられた状態にあり、前記多数の線材が引き出されて前記巻取りシャフトカバーから前記車庫用上げ下げ扉の上端まで、前記ゴミ集積場の上面に前記多数の線材が張架され、前記取っ手を持って前記車庫用上げ下げ扉を持上げることによって、前記巻取りシャフトの巻取り力によって前記多数の線材が前記車庫用上げ下げ扉が上方に開放されるまで巻き取られるものである。
【０００６】
このように、本発明のゴミ集積場カバー装置は、三方を鉄筋コンクリート壁・レンガ壁・コンクリートブロック壁あるいは木材壁等の壁に囲まれたゴミ集積場に用いられるものであり、鉄筋コンクリート壁の場合にはそのままアンカーボルト等で巻取りシャフトカバーやスイングアームの後端部を取付けることができるが、レンガ壁やコンクリートブロック壁の場合は強度的にやや劣るので、補強材を用いて巻取りシャフトカバーやスイングアームの後端部を取付ける必要がある。
【０００７】
そして、前面のカバーとしては車庫用上げ下げ扉の扉面（パンチングメタル、格子、ネット、金網、ワイヤー等）をそのまま応用し、残る上面のカバーとしては、正面の壁の上方等に取付けられた巻取りシャフトカバーから車庫用上げ下げ扉の上端に亘って一定間隔で張架された多数の線材で覆うことによって、ゴミ集積場内へのカラスや猫等の鳥獣の侵入を完全に防ぐことができる。このように、上面に一定間隔で張架された線材には、カラス等の鳥類が乗っても足元が不安定でまた線材は細すぎるので留まることができない。また、猫等は多数の線材に手足を挟まれて上に乗ることができない。
【０００８】
一方、ゴミ集積場にゴミ袋を出す際やゴミ収集車がゴミ袋を回収する場合には、取っ手を持って車庫用上げ下げ扉を持上げれば、巻取りシャフトの巻取り力によって多数の線材が車庫用上げ下げ扉を持上げる方向に引っ張るので、比較的小さな力で車庫用上げ下げ扉を上方まで開放することができる。このように、多数の線材は巻取りシャフトに巻き取られるとともに、車庫用上げ下げ扉の回動に伴って振れるので、多数の線材の振れ角分以上の長さを有する線材ガイド溝が巻取りシャフトカバーに一定間隔ごとに設けられている。
【０００９】
なお、ゴミ収集車がゴミ袋を回収する場合等、長時間車庫用上げ下げ扉を上方へ開放しておく場合には、危険防止のため車庫用上げ下げ扉のスイングアームの回動部分に設けられているロック機構をそのまま応用して、車庫用上げ下げ扉が強風等で急に閉まったりしないようにロックしておく。
【００１０】
閉めるときも、取っ手を持って降ろせば、車庫用上げ下げ扉自体の重さで楽に地面まで降ろすことができる。なお、車庫用上げ下げ扉の下端にはスプリングストッパーが２個以上設けられており、車庫用上げ下げ扉下端が万が一地面に激しく当接して傷つくのを防いでいる。このようにゴミ集積場カバー装置を一旦閉めてしまえば、カラスや猫等の鳥獣は一切侵入できないので、ゴミ収集日の前日からゴミ袋を出す人がいても全く問題はない。
【００１１】
なお、ゴミ集積場の両側面の壁に必要な強度がない場合には、両側面の壁に近接させて床面に立設させた支持柱に車庫用上げ下げ扉のスイングアームを取付けることになるが、床面のコンクリートの厚さによって立設方法が異なる。即ち、床面のコンクリートが充分厚い場合には、金属製のベースをアンカーで床面に固定してベース上に突出した角柱に支持柱を貫通ボルトで留めるという方式を採ることができる。床面のコンクリートが薄くてアンカーが効かない場合には、コンクリートに穴を開けて支持柱そのものの下端を地中深く埋めることになる。
【００１２】
このように、本発明にかかるゴミ集積場カバー装置は開けるのも閉めるのも比較的小さな力で容易に行うことができ、カラスや猫等の鳥獣による被害から確実にゴミ袋を守ることができる。そして、上面が多数の線材で覆われているので、上面に積雪して荷重が掛かる心配もない。
【００１３】
このようにして、開閉が容易にできて、ネットの管理の手間も必要なく、鳥獣が侵入する隙間が生じることもなく、積雪の心配もなく、景観的に優れたゴミ集積場カバー装置となる。
【００１４】
請求項２の発明にかかるゴミ集積場カバー装置は、請求項１の構成において、前記巻取りシャフトに前記線材を分けて巻き取るための巻取り溝を前記一定間隔ごとに前記線材の本数だけ設けたものである。
【００１５】
請求項１の発明にかかるゴミ集積場カバー装置においては、多数の線材が隣接する線材と絡まったりすることなく巻取りシャフトに線材を分けて巻き取るために、巻取りシャフトカバーに線材ガイド溝を設けているが、この線材ガイド溝のみで線材をガイドすると線材ガイド溝の縁と線材とが頻繁に擦れ合って摩耗することになる。そこで、巻取りシャフト自体にも線材を分けて巻き取るための巻取り溝を設けることによって、巻取りシャフトカバーに設けられた線材ガイド溝の縁と線材との摩耗が軽減され、長期間使用することができる。なお、巻取り溝の断面形状は、Ｖ字形でもＵ字形でも上辺が長い台形でも構わない。
【００１６】
このようにして、巻取りシャフトカバーに設けられた線材ガイド溝の縁と線材との摩耗が軽減され、長期間使用することができるゴミ集積場カバー装置となる。
【００１７】
請求項３の発明にかかるゴミ集積場カバー装置は、三方を壁で囲まれたゴミ集積場に鳥獣が侵入するのを防止するカバー装置であって、前記壁のうち両側面の壁、または前記両側面の壁に近接して前記ゴミ集積場の床面に立設された１対の支持柱に、１対のスイングアームの後端部を回動可能に取付けられた車庫用上げ下げ扉と、前記壁のうち正面の壁の上方に端から端までに亘って、または前記両側面の壁の上方に、または前記ゴミ集積場の床面に立設された支持柱に取付けられたウエイトボックスと、該ウエイトボックスの中に収容され、前記ウエイトボックスの上方に回転自在に支持された線材シャフトと、前記ウエイトボックスの下方に両端を上下動可能に振れ止めによって支持された前記ウエイトボックスのほぼ全幅に亘る幅を有する棒状ウエイトと、一方の端を一定間隔ごとに弾性部材を介して前記棒状ウエイトに固定され、前記線材シャフトを介して前記ウエイトボックスに前記一定間隔ごとに設けられた線材ガイド溝を貫通して、他方の端を前記車庫用上げ下げ扉の上端に両端まで略平行に取付けられた多数の線材と、前記車庫用上げ下げ扉の下端手前の中央付近に取付けられた取っ手とを具備し、通常時は前記車庫用上げ下げ扉の重量によって前記棒状ウエイトの重量による引張り力に抗して前記車庫用上げ下げ扉が閉じられた状態にあり、前記多数の線材が引き出されて前記ウエイトボックスから前記車庫用上げ下げ扉の上端まで前記ゴミ集積場の上面に前記多数の線材が張架され、前記取っ手を持って前記車庫用上げ下げ扉を持上げることによって、前記棒状ウエイトの重量による引張り力によって前記多数の線材が前記車庫用上げ下げ扉が上方に開放されるまで前記ウエイトボックス内に引き込まれるものである。
【００１８】
このように、本発明のゴミ集積場カバー装置も、三方を鉄筋コンクリート壁・レンガ壁・コンクリートブロック壁あるいは木材壁等の壁に囲まれたゴミ集積場に用いられるものであり、前面のカバーとしては車庫用上げ下げ扉の扉面（パンチングメタル、格子、ネット、金網、ワイヤー等）をそのまま応用し、残る上面のカバーとしては、正面の壁の上方等に取付けられたウエイトボックスから車庫用上げ下げ扉の上端に亘って一定間隔で張架された多数の線材で覆うことによって、ゴミ集積場内へのカラスや猫等の鳥獣の侵入を完全に防ぐことができる。このように、上面に一定間隔で張架された線材には、カラス等の鳥類が乗っても足元が不安定でまた線材は細すぎるので留まることができない。また、猫等は多数の線材に手足を挟まれて上に乗ることができない。
【００１９】
一方、ゴミ集積場にゴミ袋を出す際やゴミ収集車がゴミ袋を回収する場合には、取っ手を持って車庫用上げ下げ扉を持上げれば、ウエイトボックス内の棒状ウエイトの重量による引張り力によって多数の線材が車庫用上げ下げ扉を持上げる方向に引っ張るので、比較的小さな力で車庫用上げ下げ扉を上方まで開放することができる。このように、多数の線材は棒状ウエイトの下降ストローク分だけ回転自在な線材シャフトを介してウエイトボックス内に引き込まれるとともに、車庫用上げ下げ扉の回動に伴って振れるので、多数の線材の振れ角分以上の長さを有する線材ガイド溝がウエイトボックスに一定間隔ごとに設けられている。
【００２０】
なお、ゴミ収集車がゴミ袋を回収する場合等、長時間車庫用上げ下げ扉を上方へ開放しておく場合には、危険防止のため車庫用上げ下げ扉のスイングアームの回動部分に設けられているロック機構をそのまま応用して、車庫用上げ下げ扉が強風等で急に閉まったりしないようにロックしておく。
【００２１】
閉めるときも、取っ手を持って降ろせば、車庫用上げ下げ扉自体の重さで楽に地面まで降ろすことができる。なお、車庫用上げ下げ扉の下端にはスプリングストッパーが２個以上設けられており、車庫用上げ下げ扉下端が万が一地面に激しく当接して傷つくのを防いでいる。このようにゴミ集積場カバー装置を一旦閉めてしまえば、カラスや猫等の鳥獣は一切侵入できないので、ゴミ収集日の前日からゴミ袋を出す人がいても全く問題はない。
【００２２】
このように、本発明にかかるゴミ集積場カバー装置は開けるのも閉めるのも比較的小さな力で容易に行うことができ、カラスや猫等の鳥獣による被害から確実にゴミ袋を守ることができる。そして、上面が多数の線材で覆われているので、上面に積雪して荷重が掛かる心配もない。
【００２３】
このようにして、開閉が容易にできて、ネットの管理の手間も必要なく、鳥獣が侵入する隙間が生じることもなく、積雪の心配もなく、景観的に優れたゴミ集積場カバー装置となる。
【００２４】
請求項４の発明にかかるゴミ集積場カバー装置は、請求項３の構成において、前記線材シャフトに前記線材を分けて引き込むための線材溝を前記一定間隔ごとに前記線材の本数だけ設けたものである。
【００２５】
請求項３の発明にかかるゴミ集積場カバー装置においては、多数の線材が隣接する線材と絡まったりすることなく回転自在な線材シャフトに線材を分けて引き込むために、ウエイトボックスに線材ガイド溝を設けているが、この線材ガイド溝のみで線材をガイドすると線材ガイド溝の縁と線材とが頻繁に擦れ合って摩耗することになる。そこで、線材シャフト自体にも線材を分けて引き込むための線材溝を設けることによって、ウエイトボックスに設けられた線材ガイド溝の縁と線材との摩耗が軽減され、長期間使用することができる。なお、線材溝の断面形状は、Ｖ字形でもＵ字形でも上辺が長い台形でも構わない。
【００２６】
このようにして、ウエイトボックスに設けられた線材ガイド溝の縁と線材との摩耗が軽減され、長期間使用することができるゴミ集積場カバー装置となる。
【００２７】
請求項５の発明にかかるゴミ集積場カバー装置は、請求項１乃至請求項４のいずれか１つの構成において、三方を金網で囲まれたゴミ集積場に鳥獣が侵入するのを防止するカバー装置であって、前記車庫用上げ下げ扉が前記金網のうち両側面の金網に近接して下端部分を地面に深く埋め込まれて立設された１対の支持柱に、前記スイングアームの後端部が回動可能に取付けられ、前記巻取りシャフトカバーまたは前記ウエイトボックスが前記１対の支持柱の上方に取付け部材を介して前記金網のうち正面の金網に近接して端から端までに亘って取付けられたものである。
【００２８】
請求項１乃至請求項４の発明にかかるゴミ集積場カバー装置は、三方を壁（主として鉄筋コンクリート壁）で囲まれたゴミ集積場に適用されるものであるから、三方を金網で囲まれたゴミ集積場に適用するためには改良を加える必要がある。まず、車庫用上げ下げ扉の支持方法であるが、三方の金網のうち両側面の金網に近接した位置にそれぞれ下端部分を地面に深く埋め込むことによって立設した１対の支持柱に、車庫用上げ下げ扉のスイングアームの後端部を回動可能に取付ける。
【００２９】
また、巻取りシャフトカバーまたはウエイトボックスは、取付け部材を介して正面の金網に近接して１対の支持柱の上方に端から端までに亘って取付けることができる。そして、巻取りシャフトカバーまたはウエイトボックスから引き出された多数の線材を車庫用上げ下げ扉の上端に端から端まで取付ければ、ゴミ集積場カバー装置の設置が完了する。開閉の仕方は、請求項１乃至請求項４の発明にかかるゴミ集積場カバー装置と同様である。
【００３０】
このようにして、三方を金網で囲まれたゴミ集積場にも設置することができ、開閉が容易にできて、ネットの管理の手間も必要なく、鳥獣が侵入する隙間が生じることがなく、積雪の心配もなく、景観的にも優れたゴミ集積場カバー装置となる。
【００３１】
請求項６の発明にかかるゴミ集積場カバー装置は、請求項１乃至請求項４のいずれか１つの構成において、丈夫な壁の前に設けられた一定の区画の平坦な地面からなるゴミ集積場に鳥獣が侵入するのを防止するカバー装置であって、前記区画のうち両側端に沿って鳥獣が侵入する隙間が生じることがない柵を設置し、前記車庫用上げ下げ扉が前記両側端の柵にそれぞれ近接して下端部分を前記地面に深く埋め込まれて立設された１対の支持柱に、前記スイングアームの後端部を回動可能に取付けられ、前記巻取りシャフトカバーまたは前記ウエイトボックスが前記丈夫な壁に端から端までに亘って取付けられたものである。
【００３２】
丈夫な壁の前に設けられたゴミ集積場の場合は、両側端に沿って鳥獣が侵入する隙間が生じることがない柵を設置することによって、三方が囲まれたゴミ集積場となる。次に、車庫用上げ下げ扉の支持方法であるが、両側端の柵に近接した位置にそれぞれ下端部分を地面に深く埋め込むことによって立設した１対の支持柱に、車庫用上げ下げ扉のスイングアームの後端部を回動可能に取付ける。また、巻取りシャフトカバーまたはウエイトボックスは、丈夫な壁に端から端までに亘って取付けることができる。そして、巻取りシャフトカバーまたはウエイトボックスから引き出された多数の線材を車庫用上げ下げ扉の上端に端から端まで取付ければ、ゴミ集積場カバー装置の設置が完了する。開閉の仕方は、請求項１乃至請求項４の発明にかかるゴミ集積場カバー装置と同様である。
【００３３】
このようにして、丈夫な壁の前に設けられた平坦な地面からなるゴミ集積場にも設置することができ、開閉が容易にできて、ネットの管理の手間も必要なく、鳥獣が侵入する隙間が生じることがなく、積雪の心配もなく、景観的にも優れたゴミ集積場カバー装置となる。
【００３４】
請求項７の発明にかかるゴミ集積場カバー装置は、請求項１乃至請求項４のいずれか１つの構成において、一定の区画の平坦な地面からなるゴミ集積場に鳥獣が侵入するのを防止するカバー装置であって、前記区画のうち両側端及び後端の三方に沿って鳥獣が侵入する隙間が生じることがない柵を設置し、前記車庫用上げ下げ扉が前記区画のうち両側端に近接して下端部分を前記地面に深く埋め込まれて立設された１対の支持柱に、前記スイングアームの後端部を回動可能に取付けられ、前記巻取りシャフトカバーまたは前記ウエイトボックスが前記１対の支持柱の上方に取付け部材を介して前記柵のうち後端の柵に近接して端から端までに亘って取付けられたものである。
【００３５】
区画された平坦な地面からなるゴミ集積場の場合は、両側端及び後端に沿って鳥獣が侵入する隙間が生じることがない柵を設置することによって、三方が囲まれたゴミ集積場となる。次に、車庫用上げ下げ扉の支持方法であるが、両側端の柵に近接した位置にそれぞれ下端部分を地面に深く埋め込むことによって立設した１対の支持柱に、車庫用上げ下げ扉のスイングアームの後端部を回動可能に取付ける。また、巻取りシャフトカバーまたはウエイトボックスは、取付け部材を介して１対の支持柱に後端の柵に近接して端から端までに亘って取付けることができる。そして、巻取りシャフトカバーまたはウエイトボックスから引き出された多数の線材を車庫用上げ下げ扉の上端に端から端まで取付ければ、ゴミ集積場カバー装置の設置が完了する。開閉の仕方は、請求項１乃至請求項４の発明にかかるゴミ集積場カバー装置と同様である。
【００３６】
このようにして、区画された平坦な地面のみからなるゴミ集積場にも設置することができ、開閉が容易にできて、ネットの管理の手間も必要なく、鳥獣が侵入する隙間が生じることがなく、積雪の心配もなく、景観的にも優れたゴミ集積場カバー装置となる。
【００３７】
請求項８の発明にかかるゴミ集積場カバー装置は、請求項１乃至請求項７のいずれか１つの構成において、前記線材は黒色の耐候性材料で被覆されているものである。
【００３８】
ゴミ集積場カバー装置は屋外に設置されるため、太陽光に含まれる紫外線を晴れの日は毎日浴びることになるが、黒色は紫外線に強く殆ど影響を受けないので、耐候性材料例えば黒色の耐候性塗料を塗布被覆したり、黒色のナイロン等の耐候性樹脂で被覆することによって、長年紫外線を浴びてもひびが入ったり剥落したり変色したりすることがない。そして、耐候性材料で被覆することによって、風雨、高低温にも変化することなく積雪もなく設置時の滑らかな外観を長期間に亘って維持することができる。また、ステンレス鋼等の金属製の線材については直接触れると小さなささくれ等があって指先等に怪我をする場合があるが、黒色の材料で被覆することによって怪我をする恐れもなくなる。
【００３９】
このようにして、線材の設置時の滑らかな外観を長期間に亘って維持することができ、怪我をする恐れもないゴミ集積場カバー装置となる。
【００４０】
請求項９の発明にかかるゴミ集積場カバー装置は、請求項１乃至請求項８のいずれか１つの構成において、前記線材としては黒色のナイロン樹脂で被覆したステンレス鋼線を用い、前記巻取りシャフトカバーまたは前記ウエイトボックスはアルミニウムまたはその合金からなり、前記車庫用上げ下げ扉の扉部分もアルミニウムまたはその合金からなり、前記線材の間隔は約２ｃｍ〜約５ｃｍの範囲内としたものである。
【００４１】
このように、丈夫で切れないステンレス鋼線を線材として黒色のナイロン樹脂で被覆したことによって半永久的に用いることができる線材となる。また、巻取りシャフトカバーまたはウエイトボックスはアルミニウムまたはその合金からなるため、耐候性にも優れ、軽量で加工性も良いので鉄筋コンクリート壁等の上方に固定する部品の材料として適している。さらに、車庫用上げ下げ扉の扉部分もアルミニウムまたはその合金からなるので、耐候性にも優れ、軽量であるため、持上げて開閉する部品の材料として適している。そして、線材の間隔を約２ｃｍ〜約５ｃｍの範囲内としたことによって、ゴミ集積場を主に荒らすカラスや猫の侵入を確実に阻止することができる。
【００４２】
このようにして、線材を半永久的に使うことができ、耐候性にも優れて長期間の使用に耐え、ゴミ集積場を主に荒らすカラスや猫の侵入を確実に防止することができ、積雪の心配もなく、景観的にも優れたゴミ集積場カバー装置となる。
【００４３】
請求項１０の発明にかかるゴミ集積場カバー装置は、請求項１，請求項３，請求項５乃至請求項７のいずれか１つの構成において、前記多数の線材の代わりに、一方の端を前記巻取りシャフトまたは前記棒状ウエイトに固定され、前記巻取りシャフトカバーに設けられた開口部を貫通して、または前記線材シャフトを介して前記ウエイトボックスに設けられた開口部を貫通して、他方の端を前記車庫用上げ下げ扉の上端に両端まで取付けられた耐候性を有するネットを具備し、通常時は前記車庫用上げ下げ扉の重量によって前記巻取りシャフトの巻取り力または前記棒状ウエイトの重量による引張り力に抗して前記車庫用上げ下げ扉が閉じられた状態にあり、前記ネットが引き出されて前記巻取りシャフトカバーまたは前記ウエイトボックスから前記車庫用上げ下げ扉の上端まで前記ゴミ集積場の上面に前記ネットが張架され、前記取っ手を持って前記車庫用上げ下げ扉を持上げることによって、前記巻取りシャフトの巻取り力または前記棒状ウエイトの重量による引張り力によって前記ネットが前記車庫用上げ下げ扉が上方に開放されるまで前記巻取りシャフトカバーまたは前記ウエイトボックス内に引き込まれることを特徴とするものである。
【００４４】
ここで、耐候性を有するネットとしては、ナイロン製ネット、ポリエチレン製ネット、ポリカーボネート製ネット等がある。
【００４５】
多数の線材を巻取りシャフトカバーまたはウエイトボックスから車庫用上げ下げ扉の上端まで張架する代わりに、ある程度目の細かいネットを張架することによっても、上面を完全にカバーして、ゴミ集積場内へのカラスや猫等の鳥獣の侵入を完全に防ぐことができる。
【００４６】
一方、ゴミ集積場にゴミ袋を出す際やゴミ収集車がゴミ袋を回収する場合には、取っ手を持って車庫用上げ下げ扉を持上げれば、巻取りシャフトの巻取り力または棒状ウエイトの重量による引張り力によってネットが車庫用上げ下げ扉を持上げる方向に引っ張るので、比較的小さな力で車庫用上げ下げ扉を上方まで開放することができる。このように、ネットは巻取りシャフトに巻き取られ、あるいは棒状ウエイトの下降に伴って引き込まれるとともに、車庫用上げ下げ扉の回動に伴って振れるので、ネットの振れ角分以上の長さを有する開口部が巻取りシャフトカバーまたはウエイトボックスに設けられている。
【００４７】
このようにして、耐候性にも優れて長期間の使用に耐え、ゴミ集積場を主に荒らすカラスや猫の侵入を確実に防止することができるゴミ集積場カバー装置となる。
【００４８】
請求項１１の発明にかかるゴミ集積場カバー装置は、請求項１乃至請求項１０のいずれか１つの構成において、前記ゴミ集積場の上面に太陽電池パネルを取付け、前記ゴミ集積場内に蓄電装置を設けて前記太陽電池パネルから得られた電力を蓄電し、前記車庫用上げ下げ扉の前記支持柱内に電動モータを取付けて、前記ゴミ集積場の外面に設けたスイッチを切り換えることによって前記蓄電装置の電力を用いて前記電動モータが回転して前記車庫用上げ下げ扉が自動的に開閉し、電力不足の場合は手動に切り換えることができるものである。
【００４９】
ゴミ集積場は屋外に設けられるものであるから、太陽電池パネルを設置することによって、充分な電力を蓄電装置に蓄電することができ、長い配線も必要ない。また、上述の如く、ゴミ集積場カバー装置は開けるのも閉めるのも比較的小さい力で可能なことから、車庫用上げ下げ扉の支持柱内に取付ける電動モータも小型の小電力のもので充分回動させることができる。さらに、開閉スイッチをゴミ集積場の外面に設けたことによって、人が挟まれる危険なしに車庫用上げ下げ扉を閉めることができる。また、蓄電装置の電力が不足の場合には手動に切り換えることができるから、車庫用上げ下げ扉を開閉できないという事態が生ずる恐れもない。
【００５０】
このようにして、安全で安価な電動式ゴミ集積場カバー装置となる。
【００５１】
【発明の実施の形態】
以下、本発明の実施の形態について、図面を参照して説明する。
【００５２】
実施の形態１
まず、本発明の実施の形態１にかかるゴミ集積場カバー装置について、図１乃至図６を参照して説明する。図１は本発明の実施の形態１にかかるゴミ集積場カバー装置の全体構成を示す斜視図である。図２は本発明の実施の形態１にかかるゴミ集積場カバー装置の全体構成を示す平面図である。図３は本発明の実施の形態１にかかるゴミ集積場カバー装置の全体構成を示す正面図である。図４は本発明の実施の形態１にかかるゴミ集積場カバー装置の開閉の様子を示す側断面図である。図５は本発明の実施の形態１にかかるゴミ集積場カバー装置の巻取りシャフトカバーの内部構造を示す側断面図である。図６は本発明の実施の形態１にかかるゴミ集積場カバー装置の車庫用上げ下げ扉の上端への線材の具体的な取付け方法を示す縦断面図である。
【００５３】
図１に示されるように、本実施の形態１にかかるゴミ集積場カバー装置１は、三方を鉄筋コンクリート壁２で囲まれたゴミ集積場３にカラスや猫等の鳥獣が侵入するのを防止するためのカバー装置である。三方の鉄筋コンクリート壁２のうち両側面の鉄筋コンクリート壁２ｂ，２ｃの内側上方には、それぞれ支持部材５ａが固定されており、これらの１対の支持部材５ａには車庫用上げ下げ扉４の両端に取付けられたスイングアーム５の後端が回動可能に取付けられている。支持部材５ａの回動機構は車庫用上げ下げ扉４の回動機構をそのまま流用する。一方、三方の鉄筋コンクリート壁２のうち正面の鉄筋コンクリート壁２ａの上方には、端から端までに亘って巻取りシャフトカバー６が取付けられている。
【００５４】
この巻取りシャフトカバー６の内部には長手方向に巻取りシャフトが巻取り回転可能に支持されており、巻取りシャフトには約３ｃｍ間隔で端から端まで多数の線材７が固定されていて、巻取りシャフトの巻取り力に抗して巻取りシャフトカバー６に約３ｃｍ間隔で設けられた線材ガイド溝８を貫通して引き出され、他方の端が車庫用上げ下げ扉４の上端（上枠２２）に両端まで略平行に取付けられている。これらの線材７としては黒色のナイロン樹脂で被覆したステンレス鋼線が用いられている。なお、指等を入れる危険がないように、線材ガイド溝８の幅は約５ｍｍとしている。
【００５５】
車庫用上げ下げ扉４の外周はアルミニウム製の外枠で囲われており、上枠２２と下枠２５の間にはアルミニウム製のパンチングメタル４ａが全面に張られていて、中央にはアルミニウム製の補強枠４ｂが上枠２２と下枠２５の間に立設されている。
【００５６】
図１に示されるように、本実施の形態１にかかるゴミ集積場カバー装置１は、通常時は車庫用上げ下げ扉４の重量によって巻取りシャフトに内蔵されたバネによる巻取り力に抗して車庫用上げ下げ扉４が閉じられた状態にあり、多数の線材７が引き出されて巻取りシャフトカバー６から車庫用上げ下げ扉４の上端（上枠２２）まで、ゴミ集積場３の上面に多数の線材７が張架された状態にある。したがって、図２の平面図に示されるように、ゴミ集積場３の上面は約３ｃｍの間隔で略平行に張架された多数の線材７によって、左端の鉄筋コンクリート壁２ｂから右端の鉄筋コンクリート壁２ｃまで覆われている。
【００５７】
このように、上面に約３ｃｍの間隔で張架された線材７には、カラス等の鳥類が乗っても足元が不安定で、また線材７は細すぎるので留まることができない。また、猫等は多数の線材７に手足を挟まれて上に乗ることができない。
【００５８】
また、図３の正面図に示されるように、ゴミ集積場３の前面は車庫用上げ下げ扉４のパンチングメタル４ａによって塞がれている。そして、三方は鉄筋コンクリート壁２によって囲まれている。このように、ゴミ集積場カバー装置１が閉められた状態においては、どこにもカラスや猫等の鳥獣が侵入する隙間がなく、ゴミ集積場３に集められたゴミ袋Ｄが荒らされる恐れはない。
【００５９】
一方、ゴミ集積場３にゴミ袋Ｄを出す際やゴミ収集車がゴミ袋Ｄを回収する場合には、車庫用上げ下げ扉４の下枠２５の前面に取付けられた取っ手９を持って車庫用上げ下げ扉４を持上げれば、巻取りシャフトの巻取り力によって多数の線材７が車庫用上げ下げ扉４を持上げる方向に引っ張るので、図４に想像線で示されるように、比較的小さな力でスイングアーム５を回動させて車庫用上げ下げ扉４を上方まで開放することができる。
【００６０】
このように、図４に示されるように、多数の線材７は巻取りシャフトに巻き取られるとともに、車庫用上げ下げ扉４の回動に伴って振れるので、多数の線材７の振れ角α分以上の長さを有する線材ガイド溝８が、図１に示されるように、巻取りシャフトカバー６に約３ｃｍピッチで設けられている。
【００６１】
なお、ゴミ収集車がゴミ袋Ｄを回収する場合等、長時間車庫用上げ下げ扉４を上方へ開放しておく場合には、危険防止のため車庫用上げ下げ扉４のスイングアーム５の回動部分５ａに設けられているロック機構をそのまま応用して、車庫用上げ下げ扉４が強風等で急に閉まったりしないようにロックしておく。
【００６２】
そして、再びゴミ集積場カバー装置１を閉めるときも、取っ手９あるいは高くて手が届かないときにはスイングアーム５に取付けられた補助取っ手９ａを持って降ろせば、図４に実線で示されるように、車庫用上げ下げ扉４自体の重さで巻取りシャフトカバー６から多数の線材７を引き出しながら楽にコンクリート面Ｇまで降ろすことができる。なお、車庫用上げ下げ扉４の下枠２５にはスプリングストッパー１０が２個設けられており、車庫用上げ下げ扉４の下端（下枠２５）が万が一コンクリート面Ｇに激しく当接して傷つくのを防いでいる。このようにゴミ集積場カバー装置１を一旦閉めてしまえば、カラスや猫等の鳥獣は一切侵入できないので、ゴミ収集日の前日からゴミ袋Ｄを出す人がいても全く問題はない。
【００６３】
次に、巻取りシャフトカバー６の具体的な内部構造について、図５を参照して説明する。なお、図４，図５に示されるように、巻取りシャフトカバー６は正面の鉄筋コンクリート壁２ａに複数本のアンカーボルト１２で固定されているが、状況に応じて両側面の壁２ｂ，２ｃに取付けても良いし、床面に立設した支持柱に取付けることもできる。
【００６４】
図５に示されるように、巻取りシャフトカバー６は、本体板１９とこれに両端部分でねじ止めされる前面板１８、前面板１８と本体板１９に端から端までに亘ってねじ止めされるカバー板１７、及び巻取りシャフトカバー６の両端に固定されて巻取りシャフト１１の両端を支持するブラケット２０から構成されており、これらはアルミニウム板を加工して製造されている。本体板１９の底部は、前面板１８がねじ止めされる両端部分を除いて開口部となっており、雨水が巻取りシャフトカバー６内に溜まらない構造になっている。
【００６５】
巻取りシャフトカバー６内には、巻取りシャフト１１が両端面のブラケット２０によって巻取り回転可能に支持されており、カバー板１７の斜めの面には約３ｃｍ間隔で細長い線材ガイド溝８が線材７の数だけ設けられている。この線材ガイド溝８を通過した線材７は、内部で巻取りシャフト１１に固定される。固定の仕方は、巻取りシャフト１１の平坦部に長尺方向に沿ってねじ止めされる固定板１４に約３ｃｍピッチで穿設された貫通孔の１つに線材７が通されて、隣接する貫通孔から折り返して表に引き出され、固定板１４をねじ１５でねじ止めするという方法である。本実施の形態１においては、固定板１４を巻取りシャフト１１の線材７取付け部分の全長に亘る１枚の板としたが、２枚の板とすることもできるし、複数枚の短い固定板を並べて固定することもできる。
【００６６】
巻取りシャフト１１の中には、巻取り力を付与するバネとしてのスプリング１３が図示しない支持部材に支持されて取付けられている。巻取りシャフト１１の巻取り機構は既存のロールカーテン・ロールブラインド等の巻取り機構をそのまま応用したものであり、詳しい説明は省略する。なお、巻取りシャフト１１の両端近傍には、両端の線材７が巻き取られるとき外れないようにカラー１６が固定されている。
【００６７】
このように、本実施の形態１においては、多数の線材７が隣接する線材と絡まったりすることなく巻取りシャフト１１に線材７を分けて巻き取るために、巻取りシャフトカバー６に線材ガイド溝８を設けているが、巻取りシャフト１１自体にも線材７を分けて巻き取るための巻取り溝を設けても良い。これによって、巻取りシャフトカバー６に設けられた線材ガイド溝８の縁と線材７との摩耗が軽減され、長期間使用することができる。なお、巻取り溝の断面形状は、Ｖ字形でもＵ字形でも上辺が長い台形でも構わない。
【００６８】
次に、車庫用上げ下げ扉４の上端への線材７の具体的な取付け方法について、図６を参照して説明する。図６に示されるように、車庫用上げ下げ扉４の上枠２２及び下枠２５は内部が空間になっており、上枠２２の上部内部側面にはワイヤークリップ２３が約３ｃｍピッチで取付けられている。このワイヤークリップ２３に線材７が１本ずつ通されて挟持されており、余った先端部分は上枠２２内に収容されている。一方、上枠２２の外部側面にはガイドレール２２ａが長手方向（紙面に垂直な方向）に沿って設けられ、このガイドレール２２ａに上枠２２とほぼ同じ長さのスライド部材２４が長手方向にスライド可能に嵌合している。
【００６９】
本実施の形態１にかかるゴミ集積場カバー装置１を設置する際には、車庫用上げ下げ扉４が側壁に当らない状態において、このスライド部材２４を長手方向にスライドさせて上枠２２から抜き出し、上枠２２の外部側から手を入れて多数の線材７の一本々々を引張って、巻取りシャフトカバー６から上枠２２までの張架の強さを調節する。ワイヤークリップ２３は、上枠２２の内部側へ引張るときには自由に引き込めるが、一旦引き込むとロックが掛かるようになっており、巻取りシャフトカバー６側へ引き戻すことはできない。このようなワイヤークリップ２３の機能によって、多数の線材７を巻取りシャフトカバー６から上枠２２までの間に適切な張力で張架することができる。
【００７０】
したがって、スライド部材２４を外した開口部から手を入れて線材７を引張って張力を調節する際には、引張り過ぎないように慎重に行う必要がある。このようにして、全ての線材７の張力を調節したら、スライド部材２４を上枠２２の一方の端からガイドレール２２ａに嵌合させてスライドさせ、上枠２２の前面を完全に塞いだら図示しないキャップを上枠２２の両端に嵌めて、スライド部材２４を固定する。
【００７１】
一方、車庫用上げ下げ扉４の下枠２５の下端には下枠２５とほぼ同じ長さに亘ってゴム製スクリーン２６が、地面（コンクリート面）に近接する高さまで垂れ下がって取付けられている。これは、車庫用上げ下げ扉４を閉めるとき下枠２５が万が一コンクリート面に激しく当接して損傷するのを防ぐため、２個のスプリングストッパー１０を取付けたために、下枠２５の下面とコンクリート面との間に約５ｃｍの隙間が生じるので、この隙間からカラスがくちばしを入れて中のゴミ袋を突っついたり、猫が前足でゴミ袋を破ったりすることがないように設置されたものである。特に、カラスは地面との隙間からゴミ袋をくちばしで引き出し、ゴミ袋を足で押えてくちばしでゴミ袋を破るので、注意が必要である。
【００７２】
このように、本実施の形態１にかかるゴミ集積場カバー装置１は、開けるのも閉めるのも比較的小さな力で容易に行うことができ、カラスや猫等の鳥獣による被害から確実にゴミ袋Ｄを守ることができる。このようにして、開閉が容易にできて、ネットの管理の手間も必要なく、鳥獣が侵入する隙間が生じることがないゴミ集積場カバー装置となる。
【００７３】
実施の形態２
次に、本発明の実施の形態２にかかるゴミ集積場カバー装置について、図７乃至図１１を参照して説明する。図７は本発明の実施の形態２にかかるゴミ集積場カバー装置の全体構成を示す斜視図である。図８は本発明の実施の形態２にかかるゴミ集積場カバー装置の開閉の様子を示す側断面図である。図９は本発明の実施の形態２にかかるゴミ集積場カバー装置のウエイトボックスの内部構造を示す縦断面図である。図１０は本発明の実施の形態２にかかるゴミ集積場カバー装置のウエイトボックス上部の内部構造を示す横断面図である。図１１は本発明の実施の形態２にかかるゴミ集積場カバー装置のウエイトボックス下部の内部構造を示す横断面図である。
【００７４】
図７に示されるように、本実施の形態２のゴミ集積場カバー装置３１も、三方を鉄筋コンクリート壁３２で囲まれたゴミ集積場３３にカラスや猫等の鳥獣が侵入するのを防止するためのカバー装置である。三方の鉄筋コンクリート壁３２のうち両側面の鉄筋コンクリート壁３２ｂ，３２ｃの内側に近接して、それぞれ床面に支持柱３５ａが立設されており、これらの１対の支持柱３５ａには車庫用上げ下げ扉３４の両端に取付けられたスイングアーム３５の後端が回動可能に取付けられている。
【００７５】
支持柱３５ａの回動機構は、車庫用上げ下げ扉３４の回動機構をそのまま流用する。さらには、車庫用上げ下げ扉３４，１対のスイングアーム３５，１対の支持柱３５ａまでの全体を車庫用上げ下げ扉３４の構成部材をそのまま使用して構成しても良い。一方、三方の鉄筋コンクリート壁３２のうち正面の鉄筋コンクリート壁３２ａの上方には、端から端までに亘ってウエイトボックス３６が取付けられている。
【００７６】
このウエイトボックス３６の内部には長手方向に上部に線材シャフトが回転自在に支持されており、この線材シャフトには約３ｃｍ間隔で端から端まで多数の線材溝が設けられていて、その下方にはウエイトボックス３６のほぼ両端までの長さの棒状ウエイトが、上昇下降自在に両端を振れ止めガイド棒に支持されている。
【００７７】
この棒状ウエイトに、約３ｃｍ間隔でウエイト板とステンレス製スプリングを介して多数の線材７が固定されていて、棒状ウエイトの重量による引き込み力に抗して、線材シャフトの線材溝を介してウエイトボックス３６に約３ｃｍピッチで設けられた線材ガイド溝３８を貫通して引き出され、他方の端が車庫用上げ下げ扉３４の上端に両端まで略平行に取付けられている。なお、指等を入れる危険がないように、線材ガイド溝３８の幅は約５ｍｍとしている。これらの線材７としては、実施の形態１と同様に、黒色のナイロン樹脂で被覆したステンレス鋼線が用いられている。
【００７８】
車庫用上げ下げ扉３４の外周はアルミニウム製の外枠で囲われており、上枠２２と下枠２５の間には約３ｃｍ間隔でアルミニウム製の縦格子３４ａが端から端まで立設されている。下枠２５の前面に取付けられた取っ手９と、下枠２５の両端の下面に取付けられた２個のスプリングストッパー１０と、ゴム製スクリーン２６については、実施の形態１と同様である。
【００７９】
図７に示されるように、本実施の形態２にかかるゴミ集積場カバー装置３１は、通常時は車庫用上げ下げ扉３４の重量によってウエイトボックス３６に内蔵された棒状ウエイトの重量による引張り力に抗して車庫用上げ下げ扉３４が閉じられた状態にあり、多数の線材７が引き出されてウエイトボックス３６から車庫用上げ下げ扉３４の上端（上枠２２）まで、ゴミ集積場３３の上面に多数の線材７が張架された状態にある。したがって、ゴミ集積場３３の上面は、約３ｃｍの間隔で略平行に張架された多数の線材７によって、左端の鉄筋コンクリート壁３２ｂから右端の鉄筋コンクリート壁３２ｃまで覆われている。
【００８０】
また、ゴミ集積場３３の前面は、車庫用上げ下げ扉３４の縦格子３４ａによって塞がれている。そして、三方は鉄筋コンクリート壁３２によって囲まれている。このように、ゴミ集積場カバー装置３１が閉められた状態においては、どこにもカラスや猫等の鳥獣が侵入する隙間がなく、ゴミ集積場３３に集められたゴミ袋が荒らされる恐れはない。
【００８１】
一方、ゴミ集積場３３にゴミ袋を出す際やゴミ収集車がゴミ袋を回収する場合には、車庫用上げ下げ扉３４の下枠２５の前面に取付けられた取っ手９を持って車庫用上げ下げ扉３４を持上げれば、図８に想像線で示されるように、棒状ウエイト４０の重量による引き込み力によって多数の線材７が車庫用上げ下げ扉３４を持上げる方向に引っ張るので、比較的小さな力でスイングアーム３５を回動させて車庫用上げ下げ扉３４を上方まで開放することができる。
【００８２】
このように、図８に示されるように、多数の線材７は線材シャフト３９を介して棒状ウエイト４０の下降に伴って引き込まれるとともに、車庫用上げ下げ扉３４の回動に伴って振れるので、多数の線材７の振れ角β分以上の長さを有する線材ガイド溝３８が、図７に示されるように、ウエイトボックス３６に約３ｃｍピッチで設けられている。
【００８３】
なお、ゴミ収集車がゴミ袋を回収する場合等、長時間車庫用上げ下げ扉３４を上方へ開放しておく場合には、危険防止のため車庫用上げ下げ扉３４のスイングアーム３５の回動部分に設けられているロック機構をそのまま応用して、車庫用上げ下げ扉３４が強風等で急に閉まったりしないようにロックしておく。
【００８４】
そして、再びゴミ集積場カバー装置３１を閉めるときも、取っ手９あるいは高くて手が届かないときにはスイングアーム３５に取付けられた補助取っ手９ａを持って降ろせば、図８に実線で示されるように、車庫用上げ下げ扉３４自体の重さでウエイトボックス３６から多数の線材７を引き出しながら楽にコンクリート面Ｇまで降ろすことができる。このようにゴミ集積場カバー装置３１を一旦閉めてしまえば、カラスや猫等の鳥獣は一切侵入できない。
【００８５】
なお、図８に示されるように、支持柱３５ａは、左端の鉄筋コンクリート壁３２ｂに近接してコンクリート面Ｇにスチール製のサヤ管付きベース４１を４本のアンカーボルト４２で固定して、角柱状のサヤ管部分に支持柱３５ａの下端を嵌め込み、貫通ボルト４３及びナット４４によってサヤ管部分と支持柱３５ａを強固に固定することによって立設されている。もう一方の右端の鉄筋コンクリート壁３２ｃに近接した支持柱３５ａについても、同様にして立設されている。
【００８６】
次に、ウエイトボックス３６の具体的な内部構造について、図９を参照して説明する。なお、図９に示されるように、ウエイトボックス３６は正面の鉄筋コンクリート壁３２ａにアンカーボルト１２ａを始めとする４本のアンカーボルトで固定されているが、状況に応じて両側面の壁３２ｂ，３２ｃに取付けても良いし、床面に立設した支持柱に取付けることもできる。
【００８７】
図９に示されるように、ウエイトボックス３６は、ウエイトボックス３６の両端面をカバーする１対のブラケット６２と、これら１対のブラケット６２を互いに接続して箱形状にするための４本のアングル５２と、これら４本のアングル５２を補強するために間隔を空けて取付けられる複数の繋ぎ補強板５１，５５と、多数の線材７の貫通する線材ガイド溝３８が設けられた上部板５０と、前面を覆ってゴミ袋と区画するカバープレート５６と、棒状ウエイト４０を両端でガイドするガイド棒５８を上下で固定するための支持板５４ａ，５４ｂから構成されており、これらはアルミニウム板を加工して製造されている。
【００８８】
ウエイトボックス３６の底部は、支持板５４ｂがねじ止めされる両端部分と図示されない底面の繋ぎ補強板を除いて開口部となっており、雨水がウエイトボックス３６内に溜まらない構造になっている。ブラケット６２の上方にはピーブロック５３がねじ止めされており、両端のブラケット６２にねじ止めされた１対のピーブロック５３によって線材シャフト３９が回転自在に支持されている。この線材シャフト３９には、線材７の１本ごとに線材溝３９ａが設けられており、また線材シャフト３９の両端には両端の線材７が外れないようにカラー３９ｂが設けられている。
【００８９】
このように、本実施の形態２においては、多数の線材７が隣接する線材と絡まったりすることなく回転自在な線材シャフト３９に線材７を分けて引き込むために、上部板５０に線材ガイド溝３８を設けるだけでなく、線材シャフト３９自体に線材を分けて引き込むための線材溝３９ａを設けている。これによって、上部板５０に設けられた線材ガイド溝３８の縁と線材７との摩耗が軽減され、長期間使用することができる。なお、線材溝３９ａの断面形状は、Ｖ字形でもＵ字形でも上辺が長い台形でも構わないが、本実施の形態２においては上辺が長い台形の線材溝３９ａを採用している。
【００９０】
引き込まれた線材７の先端は輪状に曲げられてアルミニウム製の圧着管７ａによって抜けないように強固に圧着され、この輪状の部分にステンレス製スプリング５７の上端のフック５７ａが掛けられる。この下に棒状ウエイト４０が取付けられるが、棒状ウエイト４０の上面には長手方向に沿って棒状ウエイト４０とほぼ同じ長さのウエイト板４０ａが溶接されており、このウエイト板４０ａの上方には約３ｃｍ間隔で貫通穴４０ｂが線材７の本数だけ穿設されており、この貫通穴４０ｂにステンレス製スプリング５７の下端のフック５７ｂが掛けられることによって、線材７の先端に棒状ウエイト４０が接続されることになる。
【００９１】
この棒状ウエイト４０が多数の線材７の動きに伴って上下するときに、図の左右方向に振れないように、棒状ウエイト４０を両端でガイドする２本のガイド棒５８がほぼ垂直に上下の支持板５４ａ，５４ｂにそれぞれナット５９ａ，５９ｂで止められている。これら２本のガイド棒５８は、棒状ウエイト４０の両端にねじ止めされたアイボルト６０の貫通穴部分に通されており、これによって棒状ウエイト４０は左右に振れることなくスムーズに上下する。
【００９２】
なお、棒状ウエイト４０の重量が不足している場合は、ウエイト板４０ａの適当な位置に補助ウエイト４０ｃをねじ止めして調節する。また、車庫用上げ下げ扉３４が閉められて多数の線材７が引き出され、棒状ウエイト４０が通常の最上部にあるときに張架されている多数の線材７が上から押えられたりした場合、棒状ウエイト４０が通常の最上部を越えて引き上げられ、アイボルト６０が上部の支持板５４ａに衝突する事態が起こり得る。そこで、このような場合に備えて、両端の上部の支持板５４ａにそれぞれショック止めスプリング６１ａがガイド棒５８に被せられて取付けられている。
【００９３】
次に、ウエイトボックス３６の上部の内部構造について、図１０を参照して説明する。図１０に示されるように、一端のブラケット６２は上部においてアンカーボルト１２ｂによって正面の鉄筋コンクリート壁３２ａに固定されている。ブラケット６２の端面には、上述の如くピーブロック５３がねじ止めされており、このピーブロック５３に線材シャフト３９が回転自在に支持されている。そして、線材シャフト３９には約３ｃｍピッチで線材溝３９ａが設けられており、これらの線材溝３９ａに対向する位置に、上部板５０に約３ｃｍピッチで線材ガイド溝３８が設けられている。
【００９４】
ブラケット６２の端面と左側のコンクリート壁３２ｂとの間には、取付けのため１ｃｍ程度の隙間を設ける必要があるが、それでも図１０に示されるように、左端の線材７と左側のコンクリート壁３２ｂとの間隔は４ｃｍ以下に抑えることができるので、カラスや猫等の侵入する隙間が生じることはない。ウエイトボックス３６の右端上部の内部構造も図１０と左右対称になるだけで、全く同様である。即ち、ウエイトボックス３６の右端上部においてもブラケット６２がアンカーボルトによって正面の鉄筋コンクリート壁３２ａに固定されている。
【００９５】
次に、ウエイトボックス３６の下部の内部構造について、図１１を参照して説明する。図１１に示されるように、一端のブラケット６２は下部においてもアンカーボルト１２ｃによって正面の鉄筋コンクリート壁３２ａに固定されている。そして、ウエイト板４０ａは棒状ウエイト４０の端まで伸びているので、図１０に示される位置に左端の線材７を（ステンレス製スプリング５７を介して）取付けることができる。アイボルト６０は棒状ウエイト４０の端面に切られた雌ねじに螺合されて取付けられ、ガイド棒５８に対して垂直になるように固定されている。ウエイトボックス３６の右端下部の内部構造も図１１と左右対称になるだけで、全く同様である。即ち、ウエイトボックス３６の右端下部においてもブラケット６２が、図９に示されるようにアンカーボルト１２ａによって正面の鉄筋コンクリート壁３２ａに固定されている。
【００９６】
なお、車庫用上げ下げ扉３４の上枠２２の内部構造は、図６に示される実施の形態１と同様であり、ワイヤークリップ２３によって線材７を止める点も、スライド部材２４を外して線材７の先端を引張ることによって張り具合を調節する点も同様である。また、車庫用上げ下げ扉３４の下枠２５の下端にゴム製スクリーン２６が取付けられている点についても同様である。
【００９７】
このように、本実施の形態２にかかるゴミ集積場カバー装置３１は、開けるのも閉めるのも比較的小さな力で容易に行うことができ、カラスや猫等の鳥獣による被害から確実にゴミ袋を守ることができる。このようにして、開閉が容易にできて、ネットの管理の手間も必要なく、鳥獣が侵入する隙間が生じることがないゴミ集積場カバー装置となる。
【００９８】
上記各実施の形態においては、三方を鉄筋コンクリート壁２，３２で囲まれたゴミ集積場に本発明のゴミ集積場カバー装置を設置した例について説明しているが、本発明のゴミ集積場カバー装置はそれ以外のゴミ集積場にも設置することができる。
【００９９】
例えば、三方を金網で囲まれたゴミ集積場の場合には、金網はカラスや猫等の鳥獣の侵入を防ぐことはできるが、車庫用上げ下げ扉のスイングアームや巻取りシャフトカバーまたはウエイトボックスが取付けられる強度はないので、両側面の金網に近接して地面に深く埋め込んで１対の支持柱を立設し、車庫用上げ下げ扉のスイングアームはこれらの支持柱に直接取付け、巻取りシャフトカバーまたはウエイトボックスは取付け部材を介して正面の金網に近接して取付ければ良い。
【０１００】
また、鉄筋コンクリート壁のような丈夫な壁の前に設けられた一定の区画の平坦な地面からなるゴミ集積場の場合には、区画のうち両側端に沿って鳥獣が侵入する隙間が生じることがない柵を設置し（柵の後端は丈夫な壁に取付けても良い。）、これらの柵に近接して地面に深く埋め込んで１対の支持柱を立設し、車庫用上げ下げ扉のスイングアームはこれらの支持柱に直接取付け、巻取りシャフトカバーまたはウエイトボックスは丈夫な壁の上方に端から端までに亘って取付けることができる。
【０１０１】
さらに、一定の区画の平坦な地面のみからなるゴミ集積場の場合は、区画のうち両側端及び後端の三方に沿って鳥獣が侵入する隙間が生じることがない柵を設置し、両側端の柵に近接して地面に深く埋め込んで１対の支持柱を立設し、車庫用上げ下げ扉のスイングアームはこれらの支持柱に直接取付け、巻取りシャフトカバーまたはウエイトボックスは取付け部材を介して正面の柵に近接して取付ければ良い。
【０１０２】
なお、これらのゴミ集積場の地面に厚いコンクリートが敷設されている場合には、１対の支持柱を埋め込まずに、上記実施の形態２と同様にコンクリート面にスチール製のサヤ管付きベースをアンカーボルトで固定して、角柱状のサヤ管部分に支持柱の下端を嵌め込み、貫通ボルト及びナットによってサヤ管部分と支持柱を強固に固定することによって立設することができる。
【０１０３】
さらに、上記各実施の形態においては、手動式のゴミ集積場カバー装置としているが、ゴミ集積場の上面に太陽電池パネルを取付け、ゴミ集積場内に蓄電装置を設けて太陽電池パネルから得られた電力を蓄電し、車庫用上げ下げ扉の支持柱内に電動モータを取付けて、ゴミ集積場の外面に設けたスイッチを切り換えることによって蓄電装置の電力を用いて電動モータが回転して車庫用上げ下げ扉が自動的に開閉し、電力不足の場合は手動に切り換えることができる自動式のゴミ集積場カバー装置とすることもできる。
【０１０４】
また、上記各実施の形態においては、線材７として黒色のナイロン樹脂で被覆したステンレス鋼線を用いているが、黒色のナイロン樹脂の被覆は本発明に必須のものでなく、またステンレス鋼線以外の引張り力に強い金属線に黒色のナイロン樹脂または他の耐候性のある材料を被覆したものでも良い。これによって、中の金属線が錆びるものであっても耐候性のある材料で被覆されているので、錆びることはない。
【０１０５】
さらに、上記各実施の形態においては、巻取りシャフトカバー及びウエイトボックスの素材としてアルミニウム板を用いているが、耐候性を有するアルミニウム合金板を用いても良いし、アクリル樹脂・ポリカーボネート樹脂等の耐候性と強度を有する合成樹脂等を用いることもできる。
【０１０６】
また、ゴミ集積場の管理者が居る場合は、取っ手を兼ねたロック錠を付けて、ゴミ収集日の早朝にロックを解除し、ゴミ収集車が収集を完了したらまた閉めてロックするというように管理すれば、子供たちのいたずら等も防ぐことができる。特に、マンションの場合には１００世帯以上の場合には必ず管理人が常駐することになっているので、このようなゴミ集積場の管理を実施することができる。
【０１０７】
ゴミ集積場カバー装置のその他の部分の構成、形状、数量、材質、大きさ、線材張架高さ、接続関係等についても、上記各実施の形態に限定されるものではない。
【０１０８】
【発明の効果】
以上説明したように、請求項１の発明にかかるゴミ集積場カバー装置は、三方を壁で囲まれたゴミ集積場に鳥獣が侵入するのを防止するカバー装置であって、壁等に１対のスイングアームの後端部を回動可能に取付けられた車庫用上げ下げ扉と、巻取りシャフトカバーと、その中に収容され巻取り回転可能に支持された巻取りシャフトと、一方の端を一定間隔ごとに巻取りシャフトに固定され、一定間隔ごとに設けられた線材ガイド溝を貫通して、他方の端を車庫用上げ下げ扉の上端に両端まで略平行に取付けられた多数の線材と、車庫用上げ下げ扉の下端前面の中央付近に取付けられた取っ手とを具備するものである。
【０１０９】
そして、前面のカバーとしては車庫用上げ下げ扉の扉面をそのまま応用し、残る上面のカバーとしては、正面の壁の上方等に取付けられた巻取りシャフトカバーから車庫用上げ下げ扉の上端に亘って一定間隔で張架された多数の線材で覆うことによって、ゴミ集積場内へのカラスや猫等の鳥獣の侵入を完全に防ぐことができる。
【０１１０】
一方、ゴミ集積場にゴミ袋を出す際やゴミ収集車がゴミ袋を回収する場合には、取っ手を持って車庫用上げ下げ扉を持上げれば、巻取りシャフトの巻取り力によって多数の線材が車庫用上げ下げ扉を持上げる方向に引っ張るので、比較的小さな力で車庫用上げ下げ扉を上方まで開放することができる。このように、本発明にかかるゴミ集積場カバー装置は開けるのも閉めるのも比較的小さな力で容易に行うことができ、カラスや猫等の鳥獣による被害から確実にゴミ袋を守ることができる。
【０１１１】
このようにして、開閉が容易にできて、ネットの管理の手間も必要なく、鳥獣が侵入する隙間が生じることがなく、景観的にも優れたゴミ集積場カバー装置となる。
【０１１２】
請求項２の発明にかかるゴミ集積場カバー装置は、請求項１の構成において、前記巻取りシャフトに前記線材を分けて巻き取るための巻取り溝を前記一定間隔ごとに前記線材の本数だけ設けたものである。
【０１１３】
請求項１の発明にかかるゴミ集積場カバー装置においては、巻取りシャフトに線材を分けて巻き取るために巻取りシャフトカバーに線材ガイド溝を設けているが、この線材ガイド溝のみで線材をガイドすると線材ガイド溝の縁と線材とが頻繁に擦れ合って摩耗することになる。そこで、巻取りシャフト自体にも線材を分けて巻き取るための巻取り溝を設けることで、巻取りシャフトカバーに設けられた線材ガイド溝の縁と線材との摩耗が軽減され、長期間使用することができる。このようにして、巻取りシャフトカバーに設けられた線材ガイド溝の縁と線材との摩耗が軽減され、長期間使用することができるゴミ集積場カバー装置となる。
【０１１４】
請求項３の発明にかかるゴミ集積場カバー装置は、三方を壁で囲まれたゴミ集積場に鳥獣が侵入するのを防止するカバー装置であって、壁等に１対のスイングアームの後端部を回動可能に取付けられた車庫用上げ下げ扉と、ウエイトボックスと、その中に収容された線材シャフトと棒状ウエイトと、一方の端を一定間隔ごとに弾性部材を介して棒状ウエイトに固定され、線材シャフトを介して一定間隔ごとに設けられた線材ガイド溝を貫通して、他方の端を前記車庫用上げ下げ扉の上端に両端まで略平行に取付けられた多数の線材と、前記車庫用上げ下げ扉の下端手前の中央付近に取付けられた取っ手とを具備する。
【０１１５】
そして、前面のカバーとしては車庫用上げ下げ扉の扉面をそのまま応用し、残る上面のカバーとしては、正面の壁の上方等に取付けられたウエイトボックスから車庫用上げ下げ扉の上端に亘って一定間隔で張架された多数の線材で覆うことによって、ゴミ集積場内へのカラスや猫等の鳥獣の侵入を完全に防ぐことができる。一方、ゴミ集積場にゴミ袋を出す際やゴミ収集車がゴミ袋を回収する場合には、取っ手を持って車庫用上げ下げ扉を持上げれば、ウエイトボックス内の棒状ウエイトの重量による引張り力によって多数の線材が車庫用上げ下げ扉を持上げる方向に引っ張るので、比較的小さな力で車庫用上げ下げ扉を上方まで開放することができる。
【０１１６】
このように、本発明のゴミ集積場カバー装置は開けるのも閉めるのも比較的小さな力で容易に行うことができ、カラスや猫等の鳥獣による被害から確実にゴミ袋を守ることができる。このようにして、開閉が容易にできて、ネットの管理の手間も必要なく、鳥獣が侵入する隙間が生じず、景観的にも優れたゴミ集積場カバー装置となる。
【０１１７】
請求項４の発明にかかるゴミ集積場カバー装置は、請求項３の構成において、前記線材シャフトに前記線材を分けて引き込むための線材溝を前記一定間隔ごとに前記線材の本数だけ設けたものである。
【０１１８】
請求項３の発明にかかるゴミ集積場カバー装置においては、回転自在な線材シャフトに線材を分けて引き込むためにウエイトボックスに線材ガイド溝を設けているが、線材ガイド溝のみで線材をガイドすると線材ガイド溝の縁と線材とが頻繁に擦れ合って摩耗することになる。そこで、線材シャフト自体にも線材を分けて引き込むための線材溝を設けることによって、ウエイトボックスに設けられた線材ガイド溝の縁と線材との摩耗が軽減され、長期間使用することができる。
【０１１９】
請求項５の発明にかかるゴミ集積場カバー装置は、請求項１乃至請求項４のいずれか１つの構成において、三方を金網で囲まれたゴミ集積場に鳥獣が侵入するのを防止するカバー装置であって、車庫用上げ下げ扉が金網のうち両側面の金網に近接して下端部分を地面に深く埋め込まれて立設された１対の支持柱に、スイングアームの後端部が回動可能に取付けられ、巻取りシャフトカバーまたはウエイトボックスが１対の支持柱の上方に取付け部材を介して金網のうち正面の金網に近接して端から端までに亘って取付けられたものである。
【０１２０】
このようにして、三方を金網で囲まれたゴミ集積場にも設置することができ、開閉が容易にできて、ネットの管理の手間も必要なく、鳥獣が侵入する隙間が生じることがないゴミ集積場カバー装置となる。
【０１２１】
請求項６の発明にかかるゴミ集積場カバー装置は、請求項１乃至請求項４のいずれか１つの構成において、丈夫な壁の前に設けられた一定の区画の平坦な地面からなるゴミ集積場に鳥獣が侵入するのを防止するカバー装置であって、区画のうち両側端に沿って鳥獣が侵入する隙間が生じることがない柵を設置し、車庫用上げ下げ扉が両側端の柵にそれぞれ近接して下端部分を地面に深く埋め込まれて立設された１対の支持柱にスイングアームの後端部を回動可能に取付けられ、巻取りシャフトカバーまたはウエイトボックスが丈夫な壁に取付けられたものである。
【０１２２】
丈夫な壁の前に設けられたゴミ集積場の場合は、両側端に沿って鳥獣が侵入する隙間が生じることがない柵を設置することによって、三方が囲まれたゴミ集積場となる。このようにして、丈夫な壁の前に設けられた平坦な地面からなるゴミ集積場にも設置することができ、開閉が容易にできて、ネットの管理の手間も必要なく、鳥獣が侵入する隙間が生じることがないゴミ集積場カバー装置となる。
【０１２３】
請求項７の発明にかかるゴミ集積場カバー装置は、請求項１乃至請求項４のいずれか１つの構成において、一定の区画の平坦な地面からなるゴミ集積場に鳥獣が侵入するのを防止するカバー装置であって、両側端及び後端の三方に沿って鳥獣が侵入する隙間が生じることがない柵を設置し、車庫用上げ下げ扉が区画のうち両側端に近接して下端部分を地面に深く埋め込まれて立設された１対の支持柱に、スイングアームの後端部を回動可能に取付けられ、巻取りシャフトカバーまたはウエイトボックスが１対の支持柱に取付け部材を介して取付けられたものである。
【０１２４】
区画された平坦な地面からなるゴミ集積場の場合は、両側端及び後端に沿って鳥獣が侵入する隙間が生じることがない柵を設置することによって、三方が囲まれたゴミ集積場となる。このようにして、区画された平坦な地面のみからなるゴミ集積場にも設置することができ、開閉が容易にできて、ネットの管理の手間も必要なく、鳥獣が侵入する隙間が生じることがないゴミ集積場カバー装置となる。
【０１２５】
請求項８の発明にかかるゴミ集積場カバー装置は、請求項１乃至請求項７のいずれか１つの構成において、前記線材は黒色の耐候性材料で被覆されているものである。
【０１２６】
ゴミ集積場カバー装置は屋外に設置されるため、太陽光に含まれる紫外線を浴びるが、黒色は紫外線に強く殆ど影響を受けないので、例えば黒色の耐候性塗料を塗布被覆したり、黒色のナイロン等の耐候性樹脂で被覆することによって、長年紫外線を浴びてもひびが入ったり剥落したり変色したりしない。そして、耐候性材料で被覆することによって、風雨、高低温にも変化することなく設置時の滑らかな外観を長期間に亘って維持できる。また、ステンレス鋼等の金属製の線材については直接触れると小さなささくれ等があって指先等に怪我をする場合があるが、黒色の材料で被覆することによって怪我をする恐れもなくなる。
【０１２７】
請求項９の発明にかかるゴミ集積場カバー装置は、請求項１乃至請求項８のいずれか１つの構成において、線材としては黒色のナイロン樹脂で被覆したステンレス鋼線を用い、巻取りシャフトカバーまたはウエイトボックス及び車庫用上げ下げ扉の扉部分もアルミニウムまたはその合金からなり、線材の間隔は約２ｃｍ〜約５ｃｍの範囲内としたものである。
【０１２８】
このように、丈夫で切れないステンレス鋼線を線材として黒色のナイロン樹脂で被覆したことによって半永久的に用いることができる線材となる。また、巻取りシャフトカバーまたはウエイトボックスはアルミニウムまたはその合金からなるため、耐候性にも優れ、軽量で加工性も良いので鉄筋コンクリート壁等の上方に固定する部品の材料として適している。さらに、車庫用上げ下げ扉の扉部分もアルミニウムまたはその合金からなるので、耐候性にも優れ、軽量であるため、持上げて開閉する部品の材料として適している。そして、線材の間隔を約２ｃｍ〜約５ｃｍの範囲内としたことによって、ゴミ集積場を主に荒らすカラスや猫の侵入を確実に阻止することができる。
【０１２９】
請求項１０の発明にかかるゴミ集積場カバー装置は、請求項１，請求項３，請求項５乃至請求項７のいずれか１つの構成において、多数の線材の代わりにネットを用いたものである。
【０１３０】
多数の線材を巻取りシャフトカバーまたはウエイトボックスから車庫用上げ下げ扉の上端まで張架する代わりに、ある程度目の細かいネットを張架することによっても、上面を完全にカバーして、ゴミ集積場内へのカラスや猫等の鳥獣の侵入を完全に防ぐことができる。
【０１３１】
このようにして、耐候性にも優れて長期間の使用に耐え、ゴミ集積場を主に荒らすカラスや猫の侵入を確実に防止できるゴミ集積場カバー装置となる。
【０１３２】
請求項１１の発明にかかるゴミ集積場カバー装置は、請求項１乃至請求項１０のいずれか１つの構成において、ゴミ集積場の上面に太陽電池パネルを取付け、ゴミ集積場内に蓄電装置を設けて太陽電池パネルから得られた電力を蓄電し、車庫用上げ下げ扉の支持柱内に電動モータを取付けて、ゴミ集積場の外面に設けたスイッチを切り換えることによって蓄電装置の電力を用いて電動モータが回転して車庫用上げ下げ扉が自動的に開閉し、電力不足の場合は手動に切り換えることができるものである。
【０１３３】
ゴミ集積場は屋外に設けられるものであるから、太陽電池パネルを設置することによって、充分な電力を蓄電装置に蓄電することができ、長い配線も必要ない。また、上述の如く、ゴミ集積場カバー装置は開けるのも閉めるのも比較的小さい力で可能なことから、車庫用上げ下げ扉の支持柱内に取付ける電動モータも小型の小電力のもので充分回動させることができる。さらに、開閉スイッチをゴミ集積場の外面に設けたことによって、人が挟まれる危険なしに車庫用上げ下げ扉を閉めることができる。また、蓄電装置の電力が不足の場合には手動に切り換えることができるから、車庫用上げ下げ扉を開閉できないという事態が生ずる恐れはない。このようにして、安全で安価な電動式ゴミ集積場カバー装置となる。
【図面の簡単な説明】
【図１】図１は本発明の実施の形態１にかかるゴミ集積場カバー装置の全体構成を示す斜視図である。
【図２】図２は本発明の実施の形態１にかかるゴミ集積場カバー装置の全体構成を示す平面図である。
【図３】図３は本発明の実施の形態１にかかるゴミ集積場カバー装置の全体構成を示す正面図である。
【図４】図４は本発明の実施の形態１にかかるゴミ集積場カバー装置の開閉の様子を示す側断面図である。
【図５】図５は本発明の実施の形態１にかかるゴミ集積場カバー装置の巻取りシャフトカバーの内部構造を示す側断面図である。
【図６】図６は本発明の実施の形態１にかかるゴミ集積場カバー装置の車庫用上げ下げ扉の上端への線材の具体的な取付け方法を示す縦断面図である。
【図７】図７は本発明の実施の形態２にかかるゴミ集積場カバー装置の全体構成を示す斜視図である。
【図８】図８は本発明の実施の形態２にかかるゴミ集積場カバー装置の開閉の様子を示す側断面図である。
【図９】図９は本発明の実施の形態２にかかるゴミ集積場カバー装置のウエイトボックスの内部構造を示す縦断面図である。
【図１０】図１０は本発明の実施の形態２にかかるゴミ集積場カバー装置のウエイトボックス上部の内部構造を示す横断面図である。
【図１１】図１１は本発明の実施の形態２にかかるゴミ集積場カバー装置のウエイトボックス下部の内部構造を示す横断面図である。
【符号の説明】
１，３１  ゴミ集積場カバー装置
２，３２  三方の壁
２ａ，３２ａ  正面の壁
２ｂ，２ｃ，３２ｂ，３２ｃ  両側面の壁
３，３３  ゴミ集積場
４，３４  車庫用上げ下げ扉
４ａ  パンチングメタル
５，３５  スイングアーム
６  巻取りシャフトカバー
７  線材
８，３８  線材ガイド溝
９  取っ手
９ａ  補助取っ手
１０  スプリングストッパー
１１  巻取りシャフト
１２，１２ａ，１２ｂ，１２ｃ  アンカーボルト
１３  スプリング
１６，３９ｂ  カラー
２３  ワイヤークリップ
２６  ゴム製スクリーン
３４ａ  縦格子
３６  ウエイトボックス
３９  線材シャフト
３９ａ  線材溝
４０  棒状ウエイト
４１  サヤ管付きベース
５３  ピーブロック
５８  ガイド棒
６０  アイボルト
Ｄ  ゴミ袋
【図１】
2005000094.tif 000003
【図２】
2005000094.tif 000004
【図３】
2005000094.tif 000005
【図４】
2005000094.tif 000006
【図５】
2005000094.tif 000007
【図６】
2005000094.tif 000008
【図７】
2005000094.tif 000009
【図８】
2005000094.tif 000010
【図９】
2005000094.tif 000011
【図１０】
2005000094.tif 000012
【図１１】
2005000094.tif 000013